(57)【要約】【課題】手又は足の湾曲に追従することができる皮膚研摩器具の提供。【解決手段】本発明の皮膚研摩器具は、ハンドル部分（３）と、研摩表面を有するドラム（６）を受入れて保持するように構成された２つのアーム（４、５）を有するヘッド部分（２）とを含み、研摩表面が、ドラム（６）の中央部における直径がドラム（６）の端部の直径よりも大きい凸面湾曲形を有する。【選択図】図１
2016504953.tif 000002
【特許請求の範囲】
【請求項１】
ハンドル部分と、研摩表面を有するドラムを受入れて保持するように構成された２つのアームを有するヘッド部分とを含み、前記研摩表面が、前記ドラムの中央部における直径が該ドラムの端部の直径よりも大きい凸面湾曲形であることを特徴とする、皮膚研摩器具。
【請求項２】
前記ドラムの前記表面が、放物弧形であることを特徴とする、請求項１に記載の皮膚研摩器具。
【請求項３】
前記ドラムの長さが、該ドラムの直径の２から３倍長いことを特徴とする、請求項１〜請求項２のいずれかに記載の皮膚研摩器具。
【請求項４】
前記ドラムの長さが、該ドラムの直径の２．５倍長いことを特徴とする、請求項３に記載の皮膚研摩器具。
【請求項５】
前記ドラムが樽形であることを特徴とする、請求項１〜請求項４のいずれか１項に記載の皮膚研摩器具。
【請求項６】
前記ドラムが細長い樽形であることを特徴とする、請求項５に記載の皮膚研摩器具。
【請求項７】
前記ドラムの中央部における直径が、該ドラムの端部の直径よりも１０％から３０％大きいことを特徴とする、請求項１〜請求項５のいずれか１項に記載の皮膚研摩器具。
【請求項８】
前記ドラムの中央部における直径が、該ドラムの端部の直径よりも１５％から２５％大きいことを特徴とする、請求項７に記載の皮膚研摩器具。
【請求項９】
前記ドラムの中央部における直径が、該ドラムの端部の直径よりも２０％から２２％大きいことを特徴とする、請求項７又は請求項８に記載の皮膚研摩器具。
【請求項１０】
ハンドル部分と、研摩表面を有するドラムを受入れて保持するように構成された２つのアームを有するヘッド部分とを含み、前記研摩表面が、前記ドラムの中央部における直径が前記ドラムの端部の直径よりも小さい凹面湾曲形であることを特徴とする、皮膚研摩器具。
【請求項１１】
前記ドラムの表面が、凹の放物弧形であることを特徴とする、請求項１０に記載の皮膚研摩器具。
【請求項１２】
前記ドラムの長さが、該ドラムの直径の２から３倍長いことを特徴とする、請求項１０〜請求項１１のいずれかに記載の皮膚研摩器具。
【請求項１３】
前記ドラムの長さが、該ドラムの直径の２．７〜２．８倍長いことを特徴とする、請求項１２に記載の皮膚研摩器具。
【請求項１４】
前記ドラムの形状が凹面樽形であることを特徴とする、請求項１０〜請求項１３のいずれか１項に記載の皮膚研摩器具。
【請求項１５】
前記ドラムの中央部における直径が、該ドラムの端部の直径よりも１０％から３０％小さいことを特徴とする、請求項１０〜請求項１４のいずれか１項に記載の皮膚研摩器具。
【請求項１６】
前記ドラムの中央部における直径が、該ドラムの端部の直径よりも１５％から２５％小さいことを特徴とする、請求項１５に記載の皮膚研摩器具。
【請求項１７】
前記ドラムの中央部における直径が、該ドラムの端部の直径よりも１７％から２０％小さいことを特徴とする、請求項１６に記載の皮膚研摩器具。
【請求項１８】
前記ドラムの表面積の少なくとも８０％が皮膚研摩プロセスに用いられることを特徴とする、請求項１〜請求項１７のいずれか１項に記載の皮膚研摩器具。
【請求項１９】
前記ドラムの表面積の少なくとも８５％が皮膚研摩プロセスに用いられることを特徴とする、請求項１８に記載の皮膚研摩器具。
【請求項２０】
前記ドラムの表面積の少なくとも９０％が皮膚研摩プロセスに用いられることを特徴とする、請求項１８又は請求項１９に記載の皮膚研摩器具。
【請求項２１】
前記ドラムの前記研摩表面に抗菌剤が施されていないことを特徴とする、請求項１〜請求項２０のいずれか１項に記載の皮膚研摩器具。
【請求項２２】
前記研摩表面を形成する材料に、ダイヤモンド片又は軽石のような追加の研摩材を設けることを特徴とする、請求項１〜請求項２１のいずれか１項に記載の皮膚研摩器具。
【請求項２３】
ハンドル部分と、マッサージ効果を与える材料を有するドラムを受入れて保持するように構成された２つのアームを有するヘッド部分とを含み、その表面が、前記ドラムの中央部における直径が前記ドラムの端部の直径よりも大きい凸面湾曲形であり、前記マッサージ効果を与える前記材料が、シリコーンゴム若しくは熱可塑性エラストマー（ＴＰＥ）などの波形ゴム、又はスポンジ材料であることを特徴とする、皮膚研摩器具。
【請求項２４】
ハンドル部分と、マッサージ効果を与える材料を有するドラムを受入れて保持するように構成された２つのアームを有するヘッド部分とを含み、その面が、前記ドラムの中央部における直径が前記ドラムの端部の直径よりも小さい凹面湾曲形であり、前記マッサージ効果を与える前記材料が、シリコーンゴム若しくは熱可塑性エラストマー（ＴＰＥ）などの波形ゴム、又はスポンジ材料であることを特徴とする、皮膚研摩器具。
【発明の詳細な説明】
【技術分野】
【０００１】
本発明は、皮膚研摩（ｄｅｒｍａｂｒａｓｉｏｎ）器具に関し、より具体的には、足、例えば踵、足裏又は足指の表面上の硬い乾燥した皮膚層を除去するための電気的皮膚研摩器具に関する。
【背景技術】
【０００２】
皮膚硬結及び／又は硬い皮膚の領域が足に生じ、これは、例えば合わない靴による、持続的な摩擦又は不均一な圧力によって引き起こされることがある。これらは、よく踵、母指球、及び足指の側面に見られる。皮膚硬結は、見苦しいことが多く、肥厚するほど黄色く見えるようになる。時間が経つと、特に肥厚した皮膚硬結は、ひび割れて痛くなる場合がある。
【０００３】
一般に硬くなった皮膚を擦り落とし、削り落とし又は切除して、皮膚硬結及び硬い皮膚を薄くする又は除去する多くの方法が知られている。多くの場合、これは、足又は手を水に浸したり、何らかの形態の柔軟ローション剤を硬い皮膚に適用して、皮膚を軟化させる最初のステップを含む場合がある。硬い皮膚は、軽石、爪やすりといった研摩表面を有する器具、又はカーボランダム紙が取り付けられた器具を用いて薄くする又は除去することができる。これらの器具は、手動又は電動操作でき、後者の場合、硬い皮膚の上で研摩ヘッドを振動及び回転させることができる。このような器具の例は、特許文献１又は特許文献２に記載されている。
【０００４】
既知の研摩器具には、多くの欠点がある。多くの場合、これらは、皮膚硬結が通常生じる手又は足の部分の湾曲に追従することができず、又は足の表面の処置のために利用可能な表面積が小さく、満足できるものではない。
【先行技術文献】
【特許文献】
【０００５】
【特許文献１】国際公開第０３／０２２１７５号パンフレット
【特許文献２】国際公開第２０１２／１２０３７３号パンフレット
【発明の概要】
【発明が解決しようとする課題】
【０００６】
本出願は、これらの器具よりも最適な効率を与える皮膚研摩器具を提供する。
【課題を解決するための手段】
【０００７】
本発明の第１の態様によれば、ハンドル部分と、研摩表面を有するドラムを受入れて保持するように構成された２つのアームを有するヘッド部分とを含み、研摩表面が、ドラムの中央部における直径がドラムの端部の直径よりも大きい凸面湾曲の形態である、皮膚研摩器具が提供される。
【０００８】
典型的には、ドラムの表面は、放物弧形である。典型的には、ドラムの長さは、ドラムの直径の２から４倍長い。より典型的には、ドラムの長さは、ドラムの直径の２から３倍長い。最も典型的には、ドラムの長さは、ドラムの直径の２．５倍長い。ドラムは樽形であることが好ましい。より好ましい形状は、細長い樽形である。
【０００９】
ドラムの中央部における直径は、ドラムの端部の直径よりも１０％から３０％大きいことが好ましい。ドラムの中央部における直径は、ドラムの端部の直径よりも１５％から２５％大きいことがより好ましい。ドラムの中央部における直径は、ドラムの端部の直径よりも２０％から２２％大きいことがより好ましい。
【００１０】
典型的には、ドラムの表面積の少なくとも８０％が皮膚研摩プロセスに用いられる。より典型的には、ドラムの表面積の少なくとも８５％が皮膚研摩プロセスに用いられる。さらになお典型的には、ドラムの表面積の少なくとも９０％が皮膚研摩プロセスに用いられる。
【００１１】
典型的には、ドラムの研摩表面には抗菌剤が施されていない。
【００１２】
ドラムの研摩表面を形成する材料は、所望のレベルの研摩をもたらすように選択することができる。例えば、研摩表面は、高レベルの研摩が必要とされる場合は粗い材料で作ることができ、低レベルの研摩が必要とされる場合は、細かい材料で作ることができる。
【００１３】
研摩表面を形成する材料に、ダイヤモンド片又は軽石のような追加の研摩材を設けることができる。
【００１４】
本発明の第２の態様によれば、ハンドル部分と、研摩表面を有するドラムを受入れて保持するように構成された２つのアームを有するヘッド部分とを含み、研摩表面が、ドラムの中央部における直径がドラムの端部の直径よりも小さい凹面湾曲形である、皮膚研摩器具が提供される。
【００１５】
典型的には、ドラムの表面は、凹の放物弧形である。典型的には、ドラムの長さは、ドラムの直径の２から３倍長い。より典型的には、ドラムの長さは、ドラムの直径の２．７〜２．８倍長い。好ましい形状は、凹面樽形である。
【００１６】
ドラムの中央部における直径は、ドラムの端部の直径よりも１０％から３０％小さいことが好ましい。ドラムの中央部における直径は、ドラムの端部の直径よりも１５％から２５％小さいことがより好ましい。ドラムの中央部における直径は、ドラムの端部の直径よりも１７％から２０％小さいことがより好ましい。
【００１７】
典型的には、ドラムの表面積の少なくとも８０％が皮膚研摩プロセスに用いられる。より典型的には、ドラムの表面積の少なくとも８５％が皮膚研摩プロセスに用いられる。さらになお典型的には、ドラムの表面積の少なくとも９０％が皮膚研摩プロセスに用いられる。
【００１８】
典型的には、ドラムの研摩表面には抗菌剤が施されていない。
【００１９】
ドラムの研摩表面を形成する材料は、所望のレベルの研摩をもたらすように選択することができる。例えば、研摩表面は、高レベルの研摩が必要とされる場合は粗い材料で作ることができ、低レベルの研摩が必要とされる場合は、細かい材料で作ることができる。
【００２０】
研摩表面を形成する材料に、ダイヤモンド片又は軽石のような追加の研摩材を設けることができる。
【００２１】
本発明の第１及び第２の態様の器具の代替的な実施形態において、ドラムに、研摩表面の代わりにマッサージ効果を与える波形ゴムなどの材料を設けることができる。波形ゴムは、シリコーンゴム又は熱可塑性エラストマー（ＴＰＥ）製のものとすることができる。あるいは、マッサージ材は、スポンジ製のものとすることができる。
【００２２】
本発明の例示的な実施形態を、以下、添付の図面を参照しながらより詳細に説明する。
【図面の簡単な説明】
【００２３】
【図１】本発明による皮膚研摩器具の正面図を示す。
【図２】本発明による皮膚研摩器具の側面図を示す。
【図３】研摩ドラムが取り外された、本発明による皮膚研摩器具を示す。
【発明を実施するための形態】
【００２４】
図中、皮膚研摩器具を一般に１で示す。器具１は、ヘッド２及びハンドル３を含む。ヘッド２には、アーム４及び５が設けられる。ドラム６は、アーム４及び５に取り付けられてこれらで保持され、ドラム６が皮膚研摩を達成するのに十分な速度でその長手方向軸線に沿って回転するようになっている。ドラム６の両端部には軸又はシャフト（図示せず）が設けられる。ドラム６の各端部の軸又はシャフトは、各アーム４及び５内の開口部７に接続する。ドラム６は、当業者に周知の電気モータなどの電気機械式機構（図示せず）で駆動される。電気機械式機構は、スイッチ８で起動される。
【００２５】
図２から、一実施形態においては、ヘッド２は、皮膚研摩を達成するようにドラム６を皮膚に対して位置決めすることをより容易にするように、角度を付けられていることが分かる。
【００２６】
ドラム６は、アーム４及び５の一方に適宜配置されたスイッチ（図示せず）を用いてヘッド２から取り外すことができる。
【００２７】
使用時には、スイッチ８で器具を起動してこれによりドラム６を回転させる。ドラム６の表面には研摩材が設けられている。研摩材により、硬い皮膚又は皮膚硬結が効率的に除去される。ドラム６の表面の湾曲により、接触表面積がより大きくなり、また皮膚の様々な領域との順応性／接続性の改善がもたらされることにより、ユーザが皮膚を削る際の自由度をより大きくすることができる。
【００２８】
本発明の利点は、作業表面積、すなわち皮膚と接触するのに利用可能な表面積が、現在入手可能な器具の作業表面積よりも著しく大きい皮膚研摩器具が提供されることである。
【００２９】
皮膚研摩ドラムの形状のさらなる利点は、ドラム上のいかなる応力も、その表面全体にわたってより一様に分散されることである。このことにより、器具の複雑さを増大させるとともに作業表面積を減少させる、何らかの付加的な支持構造の必要性が排除される。
【００３０】
ここに記載の発明の範囲から逸脱することなく、さらなる修正及び開発を行うことができる。
【符号の説明】
【００３１】
１：皮膚研摩器具
２：ヘッド
３：ハンドル
４、５：アーム
６：ドラム
７：開口部
８：スイッチ
【図１】
2016504953.tif 000003
【図２】
2016504953.tif 000004
【図３】
2016504953.tif 000005
【国際調査報告】
2016504953.tif 000006
2016504953.tif 000007
2016504953.tif 000008
2016504953.tif 000009
2016504953.tif 000010